(57)【要約】【課題】ペーパーを取込み、取出すことによって自動的に挟力を調整し、取出用のロールセットでの紙詰まりを避ける自動フィード装置用の取出ロールセットを提供する。【解決手段】主にはジョイスティック、取出遊び滑車、摩擦装置、取出用のアクティブロールからなる。その中、ジョイスティックは取出遊び滑車に接続するのに用いられる。取出遊び滑車は適宜挟力を変更するのに用いられる。摩擦装置はジョイスティックと取出遊び滑車の間に設置し、ジョイスティックと取出遊び滑車の間の摩擦力を強化するのに用いられる。取出用のアクティブロールはペーパーの取込、取出を制御するのに用いられる。【選択図】図３
2008201581.tif 000002
【特許請求の範囲】
【請求項１】
取出ロールセットを自動フィード装置ペーパーフィード工程に応用する自動フィード装置用の取出ロールセットであって、
前記取出ロールセットはジョイスティックであって、前記ジョイスティックの第一端が前記自動フィード装置に接続し、前記ジョイスティックが前記第一端によって振れ、
前記ジョイスティックの第二端に接続する取出遊び滑車と、
前記ジョイスティックと前記取出遊び滑車の間に設置し、前記ジョイスティックと前記取出遊び滑車の間の摩擦力を強化するための摩擦装置と、
前記自動フィード装置に接続する取出用のアクティブロールとを含み、
前記取出遊び滑車はアプローチ状態と遠隔状態を有し、前記取出遊び滑車が前記アプローチ状態になると、前記取出遊び滑車を前記ペーパーの移動により前記取出用のアクティブロールに徐々にアプローチする状態になり、前記取出遊び滑車と前記取出用のアクティブロールの間の挟力を大きくし、前記取出遊び滑車が遠隔状態になると、前記取出遊び滑車を前記ペーパーの移動により前記取出用のアクティブロールから離す状態になり、前記取出遊び滑車と前記取出用のアクティブロールの間の挟力を小さくすることを特徴とする自動フィード装置用の挟力ロールセット。
【請求項２】
さらにスピンドルを含み、前記スピンドルの両端はそれぞれ前記ジョイスティックの前記第二端に接続し、前記取出遊び滑車を前記スピンドルにはめ込むことを特徴とする請求項1に記載する自動フィード装置用の取出ロールセット。
【請求項３】
前記摩擦装置はバネ、スプリング、ゴム及び発泡スチロールのいずれかの一つであることを特徴とする請求項２に記載する自動フィード装置用の取出ロールセット。
【請求項４】
前記スプリングは螺旋スプリングで、前記螺旋スプリングは前記スピンドルに嵌め込み、前記螺旋スプリングの第一側は前記ジョイスティックの前記第二端に当接し、前記螺旋スプリングの第二側を前記取出遊び滑車のうちのサイドに当接させることを特徴とする請求項３に記載する自動フィード装置用の取出ロールセット。
【請求項５】
前記ジョイスティックの前記第一端と前記自動フィード装置の連結位置は、前記取出用のアクティブロールの上端と対向し、前記自動フィード装置の内側に近接することを特徴とする請求項1に記載する自動フィード装置用の取出ロールセット。
【請求項６】
前記ジョイスティックの前記第一端と前記自動フィード装置の連結位置は、前記取出用のアクティブロールの下端と対向し、前記自動フィード装置の外側に近接することを特徴とする請求項1に記載する自動フィード装置用の取出ロールセット。
【請求項７】
前記自動フィード装置はピボット台座を有し、前記ジョイスティックの前記第一端はピボットを有し、前記ピボットを前記ピボット台座にピボットすることを特徴とする請求項1に記載する自動フィード装置用の取出ロールセット。
【発明の詳細な説明】
【技術分野】
【０００１】
本発明は取出ロールセットに関し、特に自動フィード装置用の取出ロールセットに関する。
【背景技術】
【０００２】
現代人の日常生活やオフィス文書事務において、フィード装置は極普通に使用されており、それは通常、ファクシミリ、プリンター、スキャナー及び多機能事務機（ＭＦＰ）等のスキャン装置に使用されている。然しながら、従来の自動フィード装置を使用する際、ユーザーはよく紙詰まりのトラブルに見舞われ、特にペーパーが自動フィード装置の出口のロールセット部位で紙詰まりを起こす。
【０００３】
図１は従来の自動フィード装置の概略図である。図示のように、自動フィード装置２００は取込台２０２、取出台２０４、取込用ロールセット２１０、ペーパー送り用のロールセット２２０、内部用のロールセット２３０、  取出用のロールセット２４０、第一フィードチャネル２５０及び第二フィードチャネル２６０からなる。そのうち、取出用のロールセット２４０は取出用のアクティブロール２４１と取出遊び滑車２４２からなり、取出用のアクティブロール２４１と取出遊び滑車２４２は共に自動フィード装置２００内部に固定されており、両輪の間には固定値である挟力がある。
【０００４】
図２Ａは従来の自動フィード装置のフィード概略図である。図示のように、ユーザーがペーパー２０６の一面だけをスキャンする場合、ペーパー２０６をまず取込台２０２の上に置くと、第一フィードチャネル２５０（図１参照）から取込用ロールセット２１０、ペーパー送り用のロールセット２２０、
内部用のロールセット２３０、取出用のロールセット２４０を順次通過する。この時の取出用のアクティブロール２４１は時計の針と逆回りに回転するので、ペーパー２０６は一面のスキャンを終えた後取出台２０４へと送られる。
【０００５】
図２Ｂは従来の自動フィード装置の別のフィード概略図である。ユーザーがペーパー２０６の一面と二面をスキャンしようとする場合、ペーパー２０６が上記一面スキャンプログラムを完了した後、取出用のアクティブロール２４１はしばし反転して時計回りに回転し、ペーパー２０６を第二フィードチャネル２６０（図１参照）へ送り、ペーパー送り用のロールセット２２０、内部用のロールセット２３０及び取出用のロールセット２４０を順次通過して二面のスキャンを終えて、その後取出用のアクティブロール２４１は時計の針と逆回りの回転に戻りペーパー２０６を取出台２０４へと送る。
【０００６】
従来の自動フィード装置２００が紙詰まりを起こす原因は、取出用のアクティブロール２４１と取出遊び滑車２４２が何れも自動フィード装置２００内部に固定されており、また両輪の間の密着度も両輪間の挟力がペーパーの取込み、取出し誘導に充分でなければならないからである。このため従来の自動フィード装置２００では、ペーパーが挟力が強過ぎて取出用のアクティブロール２４１と取出遊び滑車２４２の間に入って行けず、紙詰まりが発生してしまうのである。しかしユーザーが取出用のロールセット２４０の紙詰まり状況を避けるために両輪間の密着度を下げると、今度は挟力不足を来たしてペーパーの取込み、取出しの効率的誘導ができなくなるのである。以上の説明を通じて、何故従来技術において取出用のロールセット２４０が紙詰まりを起こし易いか、また何故両輪間の挟力が任意に調整できないかといった原因が理解できる。
【０００７】
これに鑑みて、自動フィード装置に使用可能な取出用のロールセットを提示して、従来技術において常時起きる紙詰まり状況の解決を図ることが必要且つ重要なこととなる。
【発明の開示】
【発明が解決しようとする課題】
【０００８】
本発明の主な目的は、ペーパーを取込み、取出すことによって自動的に挟力を調整し、従来技術で恒常的に起きる取出用のロールセットでの紙詰まりを解決することができる自動フィード装置用の取出ロールセットを提示することにある。
【課題を解決するための手段】
【０００９】
本発明の好ましい実施例において、取出用のロールセットはジョイスティック、取出遊び滑車、摩擦装置及び取出用のアクティブロールからなる。ジョイスティックの第一端は自動フィード装置に連結しており、ジョイスティックを第一端によって振らせる。取出遊び滑車はジョイスティックの第二端に接続している。また、摩擦装置はジョイスティックと取出遊び滑車の間に設置し、ジョイスティックと取出遊び滑車の間の摩擦力を強化する。そして取出用のアクティブロールは自動フィード装置を連結している。そのうち、取出遊び滑車はアプローチ状態と遠隔状態を有し、取出遊び滑車がアプローチ状態になると、取出遊び滑車はペーパーの移動により取出用のアクティブロールに徐々にアプローチする状態になり、取出遊び滑車と取出用のアクティブロールの間の挟力を大きくする。取出遊び滑車が遠隔状態になると、取出遊び滑車はペーパーの移動により取出用のアクティブロールから離れる状態になり、取出遊び滑車と取出用のアクティブロールの間の挟力を小さくする。
【発明を実施するための最良の形態】
【００１０】
本発明を次に図面により詳細に説明する。
【実施例】
【００１１】
図３は本発明の取出用ロールセットの自動フィード装置の概略図である。図示のように、前記自動フィード装置３００は取込台３０２、取出台３０４、取込用ロールセット３１０、ペーパー送り用のロールセット３２０、内部用のロールセット３３０、本発明に適った取出用のロールセット３４０、第一フィードチャネル３５０及び第二フィードチャネル３６０からなる。そのうち、取出用のロールセット３４０はジョイスティック３４２、取出遊び滑車３４５、摩擦装置（図未提示）及び取出用のアクティブロール３４８からなる。ジョイスティック３４２には前記自動フィード装置３００に接続している第一端３４３及び取出遊び滑車３４５に接続している第二端３４４がある。以下の内容で、まず本発明が提供する取出用のロールセット３４０がペーパーの取込、取出に応じて取出遊び滑車３４５と取出用のアクティブロール３４８の間の挟力を自動的に変える方法を陳述する。本発明である取出用のロールセット３４０の設置方法は後の内容でさらに説明する。
【００１２】
図４Ａは本発明の自動フィード装置に適ったフィード概略図である。図示されるように、ユーザーがペーパーの一面をスキャンしようとする場合、ペーパー３０６をまず取込台３０２に置き、第一フィードチャネル３５０（図３参照）から、取込用ロールセット３１０、ペーパー送り用のロールセット３２０、内部用のロールセット３３０、取出用のロールセット３４０を順次通過する。このとき取出用のアクティブロール３４８は時計の針と逆回りになるので、ペーパー３０６は自動フィード装置３００の外部方向３７０へフィードされる。本実施例において、取出用のアクティブロール３４８は自動フィード装置３００の内部に固定されているので、取出用のアクティブロール３４８はペーパー３０６の取出しにつれて回転するだけである。しかし取出遊び滑車３４５はペーパー３０６の取出しにつれて外部方向３７０に向かって取出用のアクティブロール３４８から離れる状態にあり、これが本発明中の取出遊び滑車３４５の遠隔状態である。取出遊び滑車３４５が遠隔状態にあると、ジョイスティック３４２に牽制されるため、取出遊び滑車３４５は上向きの分力を得ることとなる。前記上向きの分力により、取出遊び滑車３４５と取出用のアクティブロール３４８間の挟力は低下し、従ってペーパー３０６が紙詰まり現象を起こすことはない。
【００１３】
図４Ｂは本発明の自動フィード装置に適った別のフィード概略図である。図示されるように、ペーパー３０６が二面をスキャンしようとする際、このときの取出用のアクティブロール３４８は時計回りに回転しているので、ペーパー３０６は自動フィード装置３００の内部方向３８０に向かってフィードされる。この時取出遊び滑車３４５はペーパー３０６につれてフィードされ、内部方向３８０に向かって取出用のアクティブロール３４８に徐々にアプローチする状態にあり、これが本発明中の取出遊び滑車３４５のアプローチ状態である。取出遊び滑車３４５がアプローチ状態にあると、ジョイスティック３４２に牽制されるため、取出遊び滑車３４５は下向きの分力を得ることとなる。前記下向きの分力により、取出遊び滑車３４５と取出用のアクティブロール３４８間の挟力は強化され、従ってペーパー３０６はスムーズに自動フィード装置３００の中にフィードされる。
【００１４】
図４Ａと図４Ｂにおいて、ジョイスティック３４２の第一端３４３と自動フィード装置３００との連結位置は取出用のアクティブロール３４８の上端に対向し、また自動フィード装置３００の内側に近接している。こうした設計により、取出遊び滑車３４５は、ペーパー３０６が自動フィード装置３００からフィードされると、上向き分力を得て遠隔状態になり、挟力が低下して紙詰まりが回避されるのである。取出遊び滑車３４５は、ペーパー３０６が自動フィード装置３００にフィードされると、下向き分力を得てアプローチ状態になり、挟力が強化されてペーパー３０６はスムーズにフィードされる。
【００１５】
図５は本発明の別の実施例における自動フィード装置である。図５におけるジョイスティック５４２の第一端５４３と前記自動フィード装置５００との連結位置は取出用のアクティブロール５４８の下端に対向し、また自動フィード装置５００の外側に近接している。同様に、取出遊び滑車５４５は、ペーパー（図未提示）が自動フィード装置５００からフィードされると、上向き分力を得て遠隔状態になり、挟力が低下して紙詰まりが回避されるのである。取出遊び滑車５４５は、ペーパー（図未提示）が自動フィード装置５００にフィードされると、下向き分力を得てアプローチ状態になり、挟力が強化されてペーパー下向き分力を得てアプローチ状態になり、挟力が強化されてペーパー（図未提示）はスムーズにフィードされる。
【００１６】
図６は本発明の取出用ロールセットの好ましい実施例の分解図である。図示されるように、それは自動フィード装置内部に形成されるピボット台座６００、ジョイスティック６４２、摩擦装置６４６、取出遊び滑車６４５、スピンドル６０４及び取出用のアクティブロール６４８からなる。ジョイスティック６４２の第一端６４３はピボットであり、前記ピボットは前記ピボット台座６００にピボットしてジョイスティック６４２を第一端６４３によって振れさせることができる。本実施例中の摩擦装置６４６は螺旋スプリングで、前記螺旋スプリング及び取出遊び滑車６４５は何れも前記スピンドル６０４に嵌め込み、スピンドル６０４の両端はそれぞれ前記ジョイスティック６４２の第二端６４４に設置し、前記螺旋スプリングの第一サイドはジョイスティック６４２の第二端６４４に当接し、前記螺旋スプリングの第二サイドは取出遊び滑車６４５のサイドに当接する。これによって、取出遊び滑車６４５とジョイスティック６４２の間は、摩擦装置６４６で摩擦力が強化される。以上の説明及び前文の図４Ａと図４Ｂの記述を通じて、取出遊び滑車６４５とジョイスティック６４２の間の摩擦力が増大すると、取出遊び滑車６４５がペーパー６０６の取込、取出工程において、ジョイスティック６４２に牽制されて上向き分力若しくは下向き分力を得る効果もより鮮明になり、このことで取出遊び滑車６４５と取出用のアクティブロール６４８の間の挟力が適宜低下したり増強されたりすることがわかる。
【００１７】
図６は本発明の趣旨に適った実施例であり、当業者が本発明の趣旨に基いて行なう変更若しくは補正は本発明に含まれる。例えば、別の実施例において、自動フィード装置内部に二つのスピンドル設置溝を形成し、ジョイスティックの第一端は中央孔を形成し、前記中央孔は位置決めスピンドルに嵌め込み、位置決めスピンドルの両端はそれぞれ二つのスピンドル設置溝に設置するので、ジョイスティックは同様に第一端によって振れる。
【００１８】
このほか、摩擦装置はバネ、ゴム及び発泡スチロールなどの部材で代用することもできる。例えば、摩擦装置を円筒形発泡スチロールで実施すると、前記円筒形発泡スチロールをスピンドルに嵌め込むと、円筒形発泡スチロールの第一サイドはジョイスティックの第二端に当接し、円筒形発泡スチロールの第二端は取出遊び滑車の中のサイドに当接する。或いは、摩擦装置にバネを採用すると、前記バネには本体部とアーム部が有り、そのうち本体部はジョイスティックの第一端に接続し、アーム部は取出遊び滑車を挟み込む。また、摩擦装置はゴムを採用し、前記ゴムはスピンドルの表面を覆い、前記ゴムをスピンドルと取出遊び滑車の間に設置して摩擦力を強化する。
【００１９】
上記内容は本発明の好ましい実施例に過ぎず、本発明の特許申請範囲を限定するものではなく、また、本発明で開示した趣旨を逸脱しない範囲において完成した等価変更若しくは補正は、全て本案における特許申請の範囲内に含まれるものとする。
【図面の簡単な説明】
【００２０】
【図１】従来の自動フィード装置の概略図である。
【図２Ａ】従来の自動フィード装置のフィード概略図である。
【図２Ｂ】従来の自動フィード装置のフィード概略図である。
【図３】本発明の取出用ロールセットの自動フィード装置の概略図である。
【図４Ａ】図３の自動フィード装置のフィード概略図である。
【図４Ｂ】図３の自動フィード装置のフィード概略図である。
【図５】本発明の別の実施例における自動フィード装置である。
【図６】本発明の取出用ロールセットの好ましい実施例の分解図である。
【符号の説明】
【００２１】
２００、３００、５００  自動フィード装置
２０２、３０２  取込台
２０４、３０４  取出台
２０６、３０６  ペーパー
２１０、３１０  取込用ロールセット
２２０、３２０  ペーパー送り用のロールセット
２３０、３３０  内部用のロールセット
２４０、３４０、５４０  取出用のロールセット
２４１、３４８、５４８、６４８、５４５、６４５  取出用のアクティブロール
２４２、３４５  取出遊び滑車
６４６  摩擦装置
２５０、３５０  第一フィードチャネル
２６０、３６０  第二フィードチャネル
３４２、５４２、６４２  ジョイスティック
３４３、５４３、６４３  第一端
３４４、５４４、６４４  第二端
３７０  外部方向
３８０  内部方向
６００  ピボット台座
６０４  スピンドル
【図１】
2008201581.tif 000003
【図２Ａ】
2008201581.tif 000004
【図２Ｂ】
2008201581.tif 000005
【図３】
2008201581.tif 000006
【図４Ａ】
2008201581.tif 000007
【図４Ｂ】
2008201581.tif 000008
【図５】
2008201581.tif 000009
【図６】
2008201581.tif 000010